(57)【特許請求の範囲】
【請求項１】
移動するシートの両面に、放電により生成された正イオン及び負イオンを照射して上記シートの両面を除電する除電装置において、
上記シートの一方の面に対向し、上記シートの移動方向にほぼ直交する直線上に配置され、直流電圧を印加する複数の第１の放電電極と、
上記シートを挟んで上記第１の放電電極と対向し、上記シートの移動方向にほぼ直交する直線上に配置され、直流電圧を印加する複数の第２の放電電極とを備え、
上記第１，２の放電電極は、それぞれ隣り合う放電電極の極性を逆極性にするとともに、上記シートを挟んで対向する第１の放電電極と第２の放電電極の極性を逆極性にし、
上記第１，２の放電電極間の中央を電位ゼロとし、上記第１，２の放電電極によって生成されたイオンが上記電位ゼロの方向に導かれる一方、
上記隣り合う一方の放電電極と逆極性となる他方の放電電極との中央を電位ゼロとし、上記隣り合う逆極性の放電電極で生成されたイオンが上記電位ゼロの方向に導かれるとともに、
上記隣り合う逆極性の一方の放電電極と他方の放電電極との距離をｘとし、上記シートを挟んで対向する第１，２放電電極間の距離をｚとしたとき、
距離ｘ＞距離ｚであって、かつ、上記距離ｘは、上記隣り合う逆極性の一方の放電電極で生成されたイオンであって、上記隣り合う放電電極間の電位ゼロ側に導かれたイオンに他方の放電電極の吸引力が作用する長さを保ち、
上記隣り合う放電電極間に正イオンと負イオンとを混在させる構成にした除電装置。
【請求項２】
上記シートの移動方向に対して上流となる位置に上記第１，２の放電電極を設け、この第１，２の放電電極よりも下流となる位置であって、上記シートの一方の面に対向するとともに、上記シートの移動方向にほぼ直交する一方の交流電極と、
上記シートを挟んで上記一方の交流電極と対向するとともに、上記シートの移動方向にほぼ直交する他方の交流電極とを備えた請求項１に記載の除電装置。
【発明の詳細な説明】
【技術分野】
【０００１】
この発明は、両面が帯電した状態で移動するシートを両面同時に除電する除電装置に関する。
【背景技術】
【０００２】
従来から、帯電したシートの表面を除電する除電装置が知られている。
図６に示す従来の除電装置は、矢印Ａ方向に移動するシート１の移動方向上流側から順に、シート１を挟んで対向する正の直流電極バー２と負の直流電極バー３、その下流側で対向する負の直流電極バー４と正の直流電極バー５、及び一対の交流電極バー６，７を備えている。
上記直流電極バー２〜５及び交流電極バー６，７は、それぞれ、シート１の幅方に延びる直線上に複数の放電電極針を配置してなり、放電電極針の先端をシート１の面１ａ又は１ｂに対向させている。
【０００３】
上記正の直流電極バー２，５には正の直流高電圧源８が接続され、正の直流高電圧が印加されて正のコロナ放電が発生し、空気の正イオンが生成される。また、負の直流電極バー３，４には、負の直流高電圧源９が接続され、負の直流高電圧が印加されて負のコロナ放電が発生し、空気の負イオンが生成される。
さらに、交流電極バー６，７には、交流高電圧源１０が接続され、交流の高電圧が印加されて正，負イオンが交互に生成されるようにしている。
【０００４】
このような除電装置では、帯電したシート１は、その移動過程で、まず、一方の面１ａに上記正の直流電極バー２で生成された正イオンが照射されて負の電荷が除電され、次に負の直流電極バー４で生成された負イオンが照射されて正の電荷が除電され、シート１の面１ａは一定のレベルまで除電されるが、残った電荷が交流電極バー６で生成された正，負イオンでさらに除電される。
【０００５】
また、シート１の他方の面１ｂには、負の直流電極バー３から負イオンが照射されて正の電荷が除電され、正の直流電極バー５から正イオンが照射されて負の電荷が除電され、残った電荷が交流電極バー７で生成された正，負イオンで除電される。
なお、上記の除電過程において、シート１を挟んで対向する直流電極バー２と３、直流電極バー４と５は、互いに逆極性の電圧が印加されているため、シート１に向かう電気力線によって、各直流電極バー２〜５によって生成されたイオンはシート１に強制的に導かれるようになっている。
【０００６】
上記従来の除電装置において、上流側の一組の正，負の直流電極バー２，３の下流側に、もう一組の負，正の直流電極バー４，５と、一対の交流電極バー６，７とを設けているのは次の理由による。
上記各直流電極バー２〜５には、正又は負のいずれか一方の極性の直流高電圧が印加されるので、１つの直流電極バーにおける全ての放電電極針は同一極性になる。そのため、１つの直流電極バーでコロナ放電によって生成されるイオンの極性は正，負いずれか一方のみとなる。
【０００７】
これに対し、帯電したシート１の表面は、全体として正，負いずれかの極性への偏りがあったとしても、完全に一方の極性の電荷しか存在しないということはほとんどない。
そのため、シート１の表面を一定レベルまで除電しようとすると、正又は負のいずれか一方のイオンのみを照射したのでは足りず、シート１の移動方向に沿って極性を反対にした直流電極バーを設けることが必要になる。
つまり、図６に示すように、正の直流電極バー２の下流に負の直流電極バー４を、負の直流電極バー３の下流に正の直流電極バー５を設けることが必須である。
【０００８】
また、上記のように配置した直流電極バー２〜５を通過したシート１の面１ａ，１ｂには、下流側の直流電極バー４，５の影響がより強く出ることになる。
一方の面１ａでは、初めに正イオンが照射され、負の電荷が除電されるが、上記正イオンはシート１に向かう電気力線によって上記面１ａに導かれるようになっているため、強制的に導かれた正イオンによって面１ａは正に逆帯電してしまうことがある。
このように逆帯電してしまった部分や、もともと正に帯電していた部分の電荷は、下流側の負の直流電極バー４から放射される負イオンによって除電される。しかし、この負イオンも上記したようにシート１に向かう電気力線によって強制的に導かれるため、正の電荷を除電するだけでなく、面１ａを負に逆帯電させてしまいやすい。そのため、正，負の直流電極バー２，４を通過したシート１の面１ａは負に逆帯電してしまうことが多い。
【０００９】
同様に、他方の面１ｂ側は、下流側に位置する正の直流電極バー５によって正に逆帯電してしまう傾向がある。このように、シート１が下流側の上記直流電極バー４，５を通過した後にも、面１ａ，１ｂには電荷が残っている。この残っている電荷を除電するために、上記交流電極バー６，７を設けている。
【先行技術文献】
【特許文献】
【００１０】
【特許文献１】特開２００８−００４３９７号公報
【発明の概要】
【発明が解決しようとする課題】
【００１１】
上記したように従来の除電装置は、直流電極バー２，３と４，５では、それぞれ一方の極性のイオンのみを生成し、対向する電極バーに引き付けられるようにして、シート１の両面１ａ，１ｂには、互いに逆極性のイオンが強制的に導かれるため、シート１の厚みを介して電界Ｅが閉じる電気二重層が形成される（図７参照）。
説明のため、図７はシート１の厚みを大きく表しているが、実際にはシート１の厚みは数十〔μｍ〕〜１〔ｍｍ〕程度である。このようなシート１では、シート１の面１ａ，１ｂの正，負の電荷が、シート１の厚みを介して閉じた電界Ｅを形成する電気二重層を形成するため、見掛けの帯電電位は低くなる。このように、シート１の見掛けの帯電電位が低いので、これを除電するために、上記交流電極バー６，７に同相の交流高電圧を印加しても、交流電極バー６，７で生成されたイオンをシート１に引き寄せる力が弱く、シート１の面１ａ，１ｂの全ての電荷を中和することはほとんどできなかった。つまり、従来の除電装置では、電気二重層が形成されやすいうえ、形成された電気二重層を除電することも難しかった。
【００１２】
一方で、静電気を利用したいわゆる電子写真画像形成プロセスによって印刷されたシートを除電する用途がある。
上記電子写真画像形成プロセスをシート１が通過すると、その両面１ａ，１ｂは帯電するが、上記したようにシート１の厚みが小さいと、上記のような電気二重層が形成されやすく、印刷機内に除電工程を設けてもシート１は除電されにくい。ただし、上記のように電界Ｅが閉じた状態であれば、上記シート１の面１ａ，１ｂの除電が不十分で、電荷が残っていたとしても特に問題は起こらない。
【００１３】
しかし、上記のように見かけ上は帯電していないように見えるシート１が印刷機から排出されてトレイ１１上に積層されると、図８に示すように、積層されたシート１，１が接触して、これらの距離はほぼゼロになり、シート１の厚みよりも小さくなる。したがって、シート１の両面の電荷は、自身の両面の電荷よりも、接触した他のシート１の電荷と結びつきやすい。例えば、図８に示す上から２枚目のシート１の一方の面１ａ上の負の電荷は、当該シート１の他方の面１ｂの正の電荷よりも、上層のシート１の面１ｂの正の電荷と引き合う力が大きくなる。そのため、積層されたシート１，１間には、正，負の電荷によって強力な吸引力ｆが発生する。なお、図８において最下層のシート１の面１ｂの電荷を表わしていないが、この面１ｂの電荷はそのまま残っている。
【００１４】
上記吸引力ｆが発生すれば、この吸引力ｆによって積層されたシート１，１同士がくっついてしまう。その結果、シート１を１枚ずつ剥がすことが難しくなって、その後の工程がスムーズに進まないという問題が発生する。
そこで、上記トレイ１１に積層される前のシート１をほぼ完璧に除電するため、印刷機に除電装置を組み付けて用いることが考えられるが、上記したように、図６に示す従来の除電装置では、シート１の両面１ａ，１ｂの電荷を完璧に除電することができないため、積層したシート１同士が吸着してしまうという問題があった。
【００１５】
しかも、従来の除電装置は、シート１の移動方向に沿って、シート１を挟んだ少なくとも二組の直流電電極バー２，３と４，５と、一対の交流電極バー６，７とを設けることが必須である。そのため、この除電装置は、シート１の移動方向の寸法が大きくなり、小型化が難しかった。また、直流電気バー４，５によってシート１が逆帯電してしまうと、それを除電するために、正，負の直流電極バーの組をさらに下流側に設けて除電用のイオンを生成しなければならないこともあり、除電装置がより大型化してしまうこともあった。
また、大型化した除電装置では、スペース的に設置できない場合が多くなってしまう。
この発明の目的は、シートの両面を完璧に除電でき、しかも小型化が可能な除電装置を提供することである。
【課題を解決するための手段】
【００１６】
この発明は、移動するシートの両面に、放電により生成された正イオン及び負イオンを照射して上記シートの両面を除電する除電装置を前提とする。
そして、第１の発明は、上記シートの一方の面に対向し、上記シートの移動方向にほぼ直交する直線上に配置され、直流電圧を印加する複数の第１の放電電極と、上記シートを挟んで上記第１の放電電極と対向し、上記シートの移動方向にほぼ直交する直線上に配置され、直流電圧を印加する複数の第２の放電電極とを備え、上記第１，２の放電電極は、それぞれ隣り合う放電電極の極性を逆極性にするとともに、上記シートを挟んで対向する第１の放電電極と第２の放電電極の極性を逆極性にし、上記第１，２の放電電極間の中央を電位ゼロとし、上記第１，２の放電電極によって生成されたイオンが上記電位ゼロの方向に導かれる一方、上記隣り合う一方の放電電極と逆極性となる他方の放電電極との中央を電位ゼロとし、上記隣り合う逆極性の放電電極で生成されたイオンが上記電位ゼロの方向に導かれるとともに、上記隣り合う逆極性の一方の放電電極と他方の放電電極との距離をｘとし、上記シートを挟んで対向する第１，２放電電極間の距離をｚとしたとき、距離ｘ＞距離ｚであって、かつ、上記距離ｘは、上記隣り合う逆極性の一方の放電電極で生成されたイオンであって、上記隣り合う放電電極間の上記電位ゼロ側に導かれたイオンに他方の放電電極の吸引力が作用する長さを保ち、上記隣り合う放電電極間に正イオンと負イオンとを混在させる構成にしたことを特徴とする。
なお、上記シートを挟んで対向する電極は、必ずしも正対しなくてもよい。シートの幅方向あるいは移動方向に多少ずれている場合も、上記対向に含むものとする。
【００１７】
第２の発明は、上記シートの移動方向に対して上流となる位置に上記第１，２の放電電極を設け、この第１，２の放電電極よりも下流となる位置であって、上記シートの一方の面に対向するとともに、上記シートの移動方向にほぼ直交する一方の交流電極と、上記シートを挟んで上記一方の交流電極と対向するとともに、上記シートの移動方向にほぼ直交する他方の交流電極とを備えたことを特徴とする。
【発明の効果】
【００１８】
第１の発明によれば、シートを挟んで互いに逆極性になる第１の放電電極及び第２の放電電極を配置すると、シート近傍がゼロ電位面となり、正イオン及び負イオンをシートの近傍に効率良く導いて除電に寄与させることができる。しかも、複数の第１の放電電極及び第２の放電電極が、それぞれ、シートの移動方向に直交する方向に沿って正，負交互に配置されているので、隣り合う極性の異なる放電電極間でもゼロ電位面が形成され、正と負の放電電極で生成されたイオンは、隣の放電電極に向かって拡散することになる。ただし、上記シートを挟んで対向する第１，２の放電電極間の距離を、隣り合う放電電極間の距離よりも小さくしているので、イオンに作用する力は、シートに向かう力の方が隣り合う放電電極に向かう力よりも強くなる。
【００１９】
すなわち、生成された正イオンと負イオンは、隣り合う放電電極の方向に引き付けられながら、シート方向に強く引き付けられて、上記シートに向かって移動するので、シートの近傍には正イオンと負イオンとが同時に混在することになる。そのため、シート両面の正，負の電荷が同時に除電されるとともに、一方の極性のみのイオンを強制的に照射した場合のような逆帯電も起こりにくく、電気二重層も形成されにくくなる。
したがって、シートを挟んだ一組の第１，２放電電極だけで、効率的でほぼ完璧な除電が可能になる。
一組の第１，２放電電極だけで、ほぼ完璧な除電ができるため、装置を小型化することもでき、例えば印刷機に除電装置を取り付けるような場合にも、設置場所選択の自由度が上がる。
【００２０】
第２の発明によれば、直流の第１，２放電電極によって除電しきれなかった電荷が多少残ったとしても、それを、交流電極によって生成される正，負イオンによって除電できる。
【図面の簡単な説明】
【００２１】
【図１】第１実施形態の除電装置の概略構成図である。
【図２】第１実施形態の放電電極の極性配置を示した図である。
【図３】放電電極の配置と除電用イオンとの関係についての説明図である。
【図４】第２実施形態の除電装置の概略構成図である。
【図５】第２実施形態の放電電極の極性配置を示した図である。
【図６】従来の除電装置の概略構成図である。
【図７】帯電したシートの断面図である。
【図８】帯電したシートが積層した状態の説明図である。
【発明を実施するための形態】
【００２２】
図１に示すこの発明の第１実施形態は、矢印Ａ方向に移動するシート１の面１ａ，１ｂを同時に除電する除電装置である。シート１は、例えば、電子写真による画像形成プロセスを備えた印刷機から出力される毎葉シートである。
この実施形態の除電装置は、図１に示すようにシート１を挟んだ両面１ａ，１ｂに対向する位置に、移動方向に沿って上流側から順に、第１，２直流電極バー１２，１３、第１，２交流電極バー１４，１５を備えている。
【００２３】
上記第１，２直流電極バー１２，１３及び第１，２交流電極バー１４，１５は、それぞれシート１を幅方向にまたぐ長さを有する棒状の部材で、一直線上に複数の放電電極針を配置して構成されている。そして、第１，２直流電極バー１２，１３は、それぞれ直流高電圧源１６，１７に接続され、上記第１，２交流電極バー１４，１５には交流高電圧源１８が接続されている。なお、上記第１，２交流電極バー１４，１５には図示しないアース電極を備え、このアース電極と図示していない放電電極針との間で放電を発生させている。
【００２４】
上記第１交流電極バー１４がこの発明の一方の交流電極であり、第２交流電極バー１５が他方の交流電極である。
そして、各電極バー１２，１４のそれぞれには、シート１を挟んで互いに対向する電極バー１３，１５が設けられている点は、上記従来の除電装置と同じである。
ただし、この第１実施形態の第１，２直流電極バー１２，１３は、正，負のいずれか一方の極性の放電電極針のみで構成されるのではなく、図２，３に示すように、正，負の放電電極針１２ａや１３ａが交互に配置されている。
なお、上記シート１を挟んで対向する放電電極針１２ａと１３ａとは、必ずしも正対しなくてもよく、シート１の幅方向あるいは移動方向に多少ずれていても構わない。
【００２５】
図２は、図１のシート１の幅方向の断面から第１，２直流電極バー１２，１３を見た図であり、上記第１直流電極バー１２の各放電電極針１２ａと第２直流電極バー１３の放電電極針１３ａの配置を示している。
図２に示すように、シート１の一方の面１ａ側に設けられた第１直流電極バー１２はその長手方向に正，負の放電電極針１２ａを交互に配置してこの発明の第１の放電電極を構成している。
【００２６】
また、シート１を挟んで対向する面１ｂ側には、図２に示すように、第１直流電極バー１２に対向する第２電極バー１３の複数の放電電極針１３ａが、対向する上記放電電極針１２ａと逆極性にして配置されている。この面１ｂ側では、上記第２直流電極バー１３の放電電極針１３ａが、シート１の幅方向に正，負が交互になるように配置され、この発明の第２の放電電極を構成している。
そして、上記第１，２直流電極バー１２，１３に接続された直流高電圧源１６，１７は、上記配列にしたがって、各放電電極針１２ａ，１３ａに正又は負の直流高電圧を印加する電源である。
【００２７】
また、図２，３に示すように、第１，２直流電極バー１２，１３においてシート１の幅方向に隣り合う放電電極針１２ａ，１２ａ同士、１３ａ，１３ａ同士の距離をｘ、シート１を介して対向する放電電極針１２ａ，１３ａの距離をｚとしたとき、距離ｚを上記距離ｘよりも小さく、すなわち距離ｘ＞距離ｚにしている。
なお、上記対向する電極針１２ａ，１３ａの先端が正対していない場合にも、電極針１２ａ，１３ａの先端間距離を上記距離ｚとする。
【００２８】
上記のように距離ｘ＞距離ｚとした理由を、以下に説明する。
この実施形態の第１，２直流電極バー１２，１３では、シート１を挟んで対向する放電電極針１２ａ，１３ａを逆極性にしている。したがって、上記第１，２直流電極バー１２，１３のみで形成される電界を考えると、上記第１，２直流電極バー１２，１３の中央である図３に一点鎖線Ｌで示す位置はゼロ電位面Ｌになる。
そのため、面１ａ側において第１放電電極針１２ａで生成された正，負イオンには、放電電極針１２ａから上記ゼロ電位面Ｌに向かう力が作用する。したがって、上記ゼロ電位面Ｌの近傍にシート１を設ければ、上記正イオン及び負イオンがシート１の近傍に導かれることになる。
【００２９】
また、第１電極バー１２の長手方向において隣り合う放電電極針１２ａ，１２ａの極性は逆極性であり、隣り合う放電電極針１２ａ，１２ａ間の空間中央近傍にも、電位がゼロとなる図示しないゼロ電位面が存在することになる。そのため、特定の放電電極針１２ａで生成されたイオンには、隣り合う放電電極針１２ａへ向かう力が作用することになる。
上記隣り合う放電電極針１２ａ，１２ａ間の距離ｘが、対向する放電電極針１２ａ，１３ａ間の距離ｚよりも小さいときには、放電電極針１２ａの先端で生成されたイオンが隣の放電電極針１２ａに引き付けられやすくなってしまう。
各放電電極針１２ａで生成されたイオンが隣り合う放電電極針１２ａに多く引き付けられてしまうと、第１直流電極バー１２で生成されたイオンのうちシート１の面１ａの近傍に到達するイオン量が少なくなってしまい、生成されたイオンが効率的に除電に寄与しなくなる。
【００３０】
そこで、この第１実施形態では、対向する放電電極針間の距離ｚを、隣り合う放電電極針１２ａ，１２ａ間の距離ｘよりも小さくして、生成された正イオン及び負イオンをより効率的にシート１の面１ａの近傍に到達させるようにしている。
上記のことは、シート１の他方の面１ｂ側においても同様である。この実施形態では、第２直流電極バー１３の放電電極針１３ａ，１３ａ間の距離ｘも、上記距離ｚより大きくして、他方の面１ｂにおいても面１ａ側と同様に、正イオン及び負イオンを効率的に面１ｂの近傍に到達させることができるようにしている。
【００３１】
上記のようにしたこの第１実施形態の除電装置では、第１直流電極バー１２と第２直流電極バー１３でシート１の幅方向に沿って交互に同時に生成された正イオン及び負イオンは、シート１の両面１ａ，１ｂの近傍に向かって強く導かれる。ただし、各放電電極針１２ａ，１３ａの先端で生成されたイオンは、同極性のイオンと反発するとともに、隣り合う放電電極針１２ａ，１２ａ間や１３ａ，１３ａ間に形成されるゼロ電位面に向かって導かれるため、上記ゼロ電位面Ｌすなわちシート１に向かう過程で図３の幅方向に広がる。
【００３２】
また、シート１の各面１ａ，１ｂの近傍は、上記したように電位がほぼゼロなので、そこに存在するイオンの極性が一方に偏ることはない。したがって、上記各面１ａ，１ｂの近傍には、正イオンと負イオンとがほぼ均一に混在し、各面１ａ，１ｂ上のいずれの極性の電荷も効率的に除電されることになる。
なお、上記したように、対向する電極針１２ａ，１３ａの中央がゼロ電位面Ｌとなるため、シート１の両面１ａ，１ｂを同時に効率的に除電するためには、シート１を上記対向電極間距離ｚの中央に設けることが好ましい。
【００３３】
上記のように、シート１を挟んで対向する電極を逆極性にすることで、シート１の近傍に正イオン及び負イオンが効率的に導かれるようにしているが、シート１の除電に寄与しない余分なイオンは、例えば面１ａの近傍まで達しても、面１ａ側に上記イオンを引き付ける電荷が無い場合には、その近傍に同時に導かれた逆極性のイオンと結合して中和するか、近くの接地金属へ吸着し消滅する。従来のように一方の極性のイオンのみを強制的にシート１に導く場合と比べて面１ａを逆帯電させることは少ない。この点は、他方の面１ｂ側についても同様である。つまり、上記第１，２直流電極バー１２，１３のみで、両面１ａ，１ｂのほぼ完璧な除電が可能である。
【００３４】
さらに、この第１実施形態では、上記第１，２直流電極バー１２，１３の下流側に設けた上記第１，２交流電極バー１４，１５で正イオンと負イオンとを交互に生成して、シート１の面１ａ，１ｂに僅かに残された電荷を除電することができるようにしている。なお、シート１が、上記第１，２直流電極バー１２，１３を通過しても面１ａ，１ｂに電荷が残されることは、移動する上記シート１が振動などによって上記ゼロ電位面Ｌからずれた場合などに起こる。シート１がゼロ電位面Ｌから離れると、必要な正，負イオンがシート１の近傍に到達しないことも起こるからである。
上記のように、第１実施形態の除電装置では、例えば印刷機から排出され、帯電したシート１が、第１，２直流電極バー１２，１３間を通過する過程で、同時に放射される正イオン及び負イオンによって、面１ａ，１ｂが同時に効率的に除電されるとともに、第１，２交流電極バー１４，１５によってより完璧な除電が実現できる。その結果、積層されたシート１同士が静電付着してしまうことを防止できる。
【００３５】
この第１実施形態の除電装置は、図６に示す従来の除電装置のように二組の直流電極バーを必要とせず、第１，２直流電極バー１２，１３の一組で足りるため、その分、シート１の移動方向のサイズを小さくすることができる。したがって、例えば、印刷機のシート排出口に設置する際の自由度が上がる。
【００３６】
また、この第１実施形態では、第１，２直流電極バー１２，１３によって除電した後に、更に、第１，２交流電極バー１４，１５による除電工程を設けているが、シート１の帯電状態に応じて第１，２直流電極バー１２，１３に印加する適切な直流高電圧値を設定するとともに、この直流高電圧値に応じて、隣り合う放電電極針間の距離ｘ、対向放電電極針間の距離ｚなどを適切に設定すれば、第１，２交流電極バー１４，１５を省略することも可能である。上記したように、第１，２直流電極バー１２，１３だけでも、シート１の両面に、正イオンと負イオンとを偏りなく同時に導くことができるからである。
そして、上記第１，２交流電極バー１４，１５を省略できれば、シート１の移動方向のサイズをさらに小さくして除電装置を小型化することができるため、この除電装置の設置の自由度はさらに上がる。
【００３７】
図４，５に示す第２実施形態は、シート１の移動方向に沿って、上記第１，２直流電極バー１２，１３と第１，２交流電極バー１４，１５との間に、第３，４直流電極バー１９，２０を設けた点が、上記第１実施形態と異なる。その他の構成は、第１実施形態と同様であり、第１実施形態と同様の構成要素には第１実施形態と同じ符号を付し、個々の詳細な説明は省略する。
第３，４直流電極バー１９，２０は、それぞれシート１を幅方向にまたぐ長さを有する棒状の部材で、一直線上に複数の放電電極針を配置して構成されるとともに、それぞれ直流高電圧源２１，２２に接続されている。
【００３８】
図５はこの第２実施形態の除電装置を、上記面１ａ側から見たときの電極の極性配置を示した図で、第１直流電極バー１２の各放電電極針１２ａと第３直流電極バー１９の放電電極針１９ａと、第１交流電極バー１４の放電電極の極性配置を示している。
図５に示すように、シート１の一方の面１ａ側であって、上流側に設けられた第１直流電極バー１２はその長手方向に正，負の放電電極針１２ａを交互に配置し、その下流の第３直流電極バー１９も、同様に正，負の放電電極針を交互に配置して構成されているが、シート１の移動方向に沿って配置される、第１直流電極バー１２の放電電極針１２ａと第３直流電極バー１９の放電電極針１９ａとは、その極性を逆極性にしている。
【００３９】
また、第３，４直流電極バー１９，２０の放電電極針１９ａ，２０ａの極性配置も、上記放電電極針１２ａ，１３ａと同じように、隣り合う放電電極針同士が逆極性であって、シート１を挟んで対向する放電電極針同士が逆極性になるようにしている。
したがって、上記直流高電圧源２１，２２は、第３，４直流電極バー１９，２０の放電電極針１９ａ，２０ａに対して、正又は負の直流高電圧を印加する電源である。
これにより、シート１の幅方向及び移動方向のいずれにおいても正，負イオンが交互に生成されることになる。
さらに、第３，４直流電極バー１９，２０においても、隣り合う放電電極針１９ａ，１９ａ間、２０ａ，２０ａ間を距離ｘとし、この距離ｘと対向する放電電極針間の距離ｚとの関係が距離ｘ＞距離ｚとなるように設定している。
【００４０】
また、図５に示すように、上記第１直流電極バー１２の放電電極針１２ａとシート１の移動方向に間隔を保って配置された第３直流電極バー１９の逆極性の放電電極針１９ａとの間の距離をｙとし、この距離ｙを上記距離ｚよりも大きく、すなわち距離ｙ＞距離ｚにしている。このようにしたのは、第１直流電極バー１２と第３直流電極バー１９との間に生成されるシート１の移動方向に沿った電気力線によって、シート１の面１ａの近傍に導かれるイオン量が少なくなってしまうことを防止するためである。
【００４１】
もし、上記距離ｙを距離ｚより小さくすると、例えば放電電極針１２ａの先端で生成されたイオンのうち放電電極針１９ａ側に引きつけられるイオン量が多くなって、面１ａの近傍に到達するイオン量が少なくなってしまう。同様に、放電電極１９ａで生成されたイオンも放電電極１２ａ側に引き付けられてしまうので、第２実施形態では、上記距離ｙ＞距離ｚにしている。
なお、シート１の他方の面１ｂ側においても同様に、面１ｂに対向する第２直流電極バー１３と第４直流電極バー２０との距離ｙを上記距離ｚよりも大きくしている。そして、各放電電極針１３ａ，２０ａで生成されたイオンが、上記ゼロ電位面Ｌに向かい効率的に面１ｂの近傍へ導かれるようにしている。
【００４２】
この第２実施形態では、シート１の両面１ａ，１ｂに、第１，２直流電極バー１２，１３から同時に正，負イオンを導いて除電するとともに、下流側に設けた第３，４直流電極バー１９，２０が、上記第１，２直流電極バー１２，１３と同様に機能して除電し、さらに第１，２交流電極バー１４，１５によって僅かに残された電荷も除電している。
第２実施形態では、第１，２直流電極バー１２，１３によって除電した後に、更に、第３，第４直流電極バー１９，２０及び第１，２交流電極バー１４，１５による除電工程を設けることで、正，負イオンの生成量を多くして、両面１ａ，１ｂ同時により完璧な除電を可能にしている。
【００４３】
なお、上記完璧、ほぼ完璧な除電とは、シート１の面１ａ，１ｂ上の表面電荷をほぼゼロにするということであり、積層したシート１同士の間で、種々のトラブルの原因となる付着が発生しない状態のことである。面１ａ，１ｂ全体として、計測した表面電位がゼロであっても、積層された面１ａ，１ｂ同士がくっついてしまう吸引力を発生させるような電荷が残っている状態は、ここでいう完璧な除電状態ではない。
【００４４】
また、図２，５では４本の放電電極針を示しているが、これは説明のためのもので、実際の放電電極針の本数ではない。放電電極針の本数は、上記距離ｘや距離ｚ、印加電圧、シート１の幅などに応じて設定するものである。例えば、印刷機用とする場合、上記距離ｘを３０〔ｍｍ〕、ｚを２５〔ｍｍ〕、印加電圧を−９〔ｋＶ〕及び＋９〔ｋＶ〕とし、シート１の寸法に応じた本数に設定している。
また、上記第１，２実施形態では、対向する第１，２交流電極バー１４，１５に交流高電圧源１８によって、同じ電圧を印加しているが、第１交流電極バー１４への印加電圧と第２交流電極バー１５への印加電圧の位相をずらしてもよい。例えば、第１，２交流電極バー１４，１５に印加する電圧を逆位相にすれば、シート１を挟んだ両側に生成されるイオンと対向電極とが逆極性になり、上記イオンを、シート１の面１ａ，１ｂの近傍へ到達しやすくすることもできる。
【産業上の利用可能性】
【００４５】
印刷されたシートなどの両面を完璧に除電したい用途に有用である。
【符号の説明】
【００４６】
１    シート
１ａ，１ｂ  （シートの）面
１２    （第１の放電電極である）第１直流電極バー
１２ａ    （第１の放電電極である）放電電極針
１３    （第２の放電電極である）第２直流電極バー
１３ａ    （第２の放電電極である）放電電極針
１４    第１交流電極バー
１５    第２交流電極バー
１６    直流高電圧源
１７    直流高電圧源
１８    交流高電圧源
ｘ    隣り合う電極間距離
ｚ    対向する電極間距離
【図１】
0006481219.tif 000002
【図２】
0006481219.tif 000003
【図３】
0006481219.tif 000004
【図４】
0006481219.tif 000005
【図５】
0006481219.tif 000006
【図６】
0006481219.tif 000007
【図７】
0006481219.tif 000008
【図８】
0006481219.tif 000009